【手続補正書】
【提出日】平成15年8月6日(2003.8.6)
【手続補正１】
【補正対象書類名】明細書
【補正対象項目名】特許請求の範囲
【補正方法】変更
【補正の内容】
【特許請求の範囲】
【請求項１】
式
【化１】
2004515577.tif 000001
の繰返し単位を含むポリマー。
ここで、Ｒは、Ｃ１〜Ｃ６のアルキル又はフェニル基から独立して選択され、
Ｒ１は、Ｃ２〜Ｃ１４のアルキル及び／又はＣ１５〜Ｃ６０のアルキルから独立して選択され、
Ｒ２は式−Ｒ３−Ｓｉ（Ｒ４）３の基であり、ここで、Ｒ３はＣ１〜Ｃ８のアルキルであり、Ｒ４はＣ１〜Ｃ６のアルキル又はフェニル基であり、
Ｒ５は式−Ｒ３−[Ｓｉ（Ｒ６）２Ｏ]ｎ−Ｓｉ（Ｒ）３の基であり、
Ｒ６はＣ１〜Ｃ6のアルキル、フェニル又は−ＯＳｉ（ＣＨ３）３であり、
ここで、ｎは０〜１０であり、
ｗは０〜５００であり、
ｘは０〜１００であり、
ｙは０〜１００であり、
ｚは０〜１００であり、
ｙ＋ｚ＝１〜１００であり、ｗ：（ｘ＋ｙ＋ｚ）の比は０：１〜１：０．０３であり、ここで、当該ポリマーの重量平均分子量は約５，０００〜２５０，０００である。
【請求項２】
ｘが０であり、かつ、ｙ及びｚが５〜５０の範囲にある、請求項１に記載のポリマー。
【請求項３】
ｘが約１〜３０であり、かつ、ｙが１〜５０である、請求項１に記載のポリマー。
【請求項４】
ｘが約２〜２０であり、かつ、ｚが約２〜３５である、請求項１に記載のポリマー。
【請求項５】
Ｒ３がメチレン、エチレン、プロピレン又はブチレンであり、かつ、Ｒ４がメチルである、請求項１に記載のポリマー。
【請求項６】
Ｒ３がメチレン又はエチレンであり、かつ、ｎが０〜５である、請求項１に記載のポリマー。
【請求項７】
前記重量平均分子量が約２０，０００〜７０，０００である、請求項１に記載のポリマー。
【請求項８】
ｗが３５〜６５であり、ｘが２〜４０であり、ｚが２〜２０であり、ｙが０である、請求項１に記載のポリマー。
【請求項９】
Ｒがメチルであり、Ｒ３がエチレンであり、Ｒ６がメチルである、請求項８に記載のポリマー。
【請求項１０】
当該ポリマーの溶融粘度が、約７０℃において約２５０〜約１０，０００センチポイズである、請求項１に記載のポリマー。
【請求項１１】
【化２】
2004515577.tif 000002
【化３】
2004515577.tif 000003
及び
【化４】
2004515577.tif 000004
から成る群から選択される、請求項１に記載のポリマー。
ここで、Ｍｅはメチルを表わし、Ｐｈはフェニルを表わす。
【請求項１２】
（Ｉ）式
【化５】
2004515577.tif 000005
の繰返し単位を含むポリマーと、
ここで、Ｒは、Ｃ１〜Ｃ６のアルキル又はフェニル基から独立して選択され、
Ｒ１は、Ｃ２〜Ｃ１４のアルキル及び／又はＣ１５〜Ｃ６０のアルキルから独立して選択され、
Ｒ２は式−Ｒ３−Ｓｉ（Ｒ４）３の基であり、ここで、Ｒ３はＣ１〜Ｃ８のアルキルであり、Ｒ４はＣ１〜Ｃ６のアルキル又はフェニル基であり、
Ｒ５は式−Ｒ３−[Ｓｉ（Ｒ６）２Ｏ]ｎ−Ｓｉ（Ｒ）３の基であり、
Ｒ６はＣ１〜Ｃ６のアルキル、フェニル又は−ＯＳｉ（ＣＨ３）３であり、
ここで、ｎは０〜１０であり、
ｗは０〜５００であり、
ｘは０〜１００であり、
ｙは０〜１００であり、
ｚは０〜１００であり、
ｙ＋ｚ＝１〜１００であり、ｗ：（ｘ＋ｙ＋ｚ）の比は０：１〜１：０．０３であり、ここで、当該ポリマーの重量平均分子量は約５，０００〜２５０，０００である。
（ＩＩ）５０重量％までのシリコーンオイルと、
（ＩＩＩ）少なくとも１つの酸化防止剤と、を含む剥離剤組成物。
【請求項１３】
ｘが０であり、かつ、ｙ及びｚが５〜５０の範囲にある、請求項１２に記載の組成物。
【請求項１４】
ｘが約１〜３０であり、かつ、ｙが１〜５０である、請求項１２に記載の組成物。
【請求項１５】
ｘが約２〜２０であり、かつ、ｚが約２〜３５である、請求項１２に記載の組成物。
【請求項１６】
Ｒ３がメチレン、エチレン、プロピレン又はブチレンであり、かつ、Ｒ４がメチルである、請求項１２に記載の組成物。
【請求項１７】
Ｒ３がメチレン又はエチレンであり、かつ、ｎが０〜５である、請求項１２に記載の組成物。
【請求項１８】
前記重量平均分子量が約２０，０００〜２００，０００である、請求項１２に記載の組成物。
【請求項１９】
ｗが３５〜６５であり、ｘが２〜４０であり、ｚが２〜２０であり、ｙが０である、請求項１２に記載の組成物。
【請求項２０】
Ｒがメチルであり、Ｒ３がエチレンであり、Ｒ６がメチルである、請求項１９に記載の組成物。
【請求項２１】
前記ポリマーの溶融粘度が、約７０℃において約２５０〜約１０，０００センチポイズである、請求項１２に記載の組成物。
【請求項２２】
前記ポリマーが、
【化６】
2004515577.tif 000006
【化７】
2004515577.tif 000007
及び
【化８】
2004515577.tif 000008
から成る群から選択される、請求項１２に記載の組成物。
ここで、Ｍｅはメチルを表わし、Ｐｈはフェニルを表わす。
【請求項２３】
（Ｉ）式
【化９】
2004515577.tif 000009
の繰返し単位を含むポリマーと、
ここで、Ｒは、Ｃ１〜Ｃ６のアルキル又はフェニル基から独立して選択され、
Ｒ１は、Ｃ２〜Ｃ１４のアルキル及び／又はＣ１５〜Ｃ６０のアルキルから独立して選択され、
Ｒ２は式−Ｒ３−Ｓｉ（Ｒ４）３の基であり、ここで、Ｒ３はＣ１〜Ｃ８のアルキルであり、Ｒ４はＣ１〜Ｃ６のアルキル又はフェニル基であり、
Ｒ５は式−Ｒ３−[Ｓｉ（Ｒ６）２Ｏ]ｎ−Ｓｉ（Ｒ）３の基であり、
Ｒ６はＣ１〜Ｃ６のアルキル、フェニル又は−ＯＳｉ（ＣＨ３）３であり、
ここで、ｎは０〜１０であり、
ｗは０〜５００であり、
ｘは０〜１００であり、
ｙは０〜１００であり、
ｚは０〜１００であり、
ｙ＋ｚ＝１〜１００であり、ｗ：（ｘ＋ｙ＋ｚ）の比は０：１〜１：０．０３であり、ここで、当該ポリマーの重量平均分子量は約５，０００〜２５０，０００である。
（ＩＩ）５０重量％までのシリコーンオイルと、
（ＩＩＩ）少なくとも１つの酸化防止剤とを含む剥離剤組成物であって、トナーを剥離するのに有効な量の剥離剤組成物が表面にコーティングされた溶着ロール。
【請求項２４】
ｘが０であり、かつ、ｙ及びｚが５〜５０の範囲にある、請求項２３に記載の溶着ロール。
【請求項２５】
ｘが約１〜３０であり、かつ、ｙが１〜５０である、請求項２３１２に記載の溶着ロール。
【請求項２６】
ｘが約２〜２０であり、かつ、ｚが約２〜３５である、請求項２３に記載の溶着ロール。
【請求項２７】
Ｒ３がメチレン、エチレン、プロピレン又はブチレンであり、かつ、Ｒ４がメチルである、請求項２３に記載の溶着ロール。
【請求項２８】
Ｒ３がメチレン又はエチレンであり、かつ、ｎが０〜５０である、請求項２３に記載の溶着ロール。
【請求項２９】
前記重量平均分子量が約２０，０００〜２００，０００である、請求項２３に記載の溶着ロール。
【請求項３０】
ｗが３５〜６５であり、ｘが２〜４０であり、ｚが２〜２０であり、ｙが０である、請求項２３に記載の溶着ロール。
【請求項３１】
Ｒがメチルであり、Ｒ３がエチレンであり、Ｒ６がメチルである、請求項３０に記載の溶着ロール。
【請求項３２】
前記ポリマーの溶融粘度が、約７０℃において約２５０〜約１０，０００センチポイズである、請求項２３に記載の溶着ロール。
【請求項３３】
前記ポリマーが、
【化１０】
2004515577.tif 000010
【化１１】
2004515577.tif 000011
及び
【化１２】
2004515577.tif 000012
から成る群から選択される、請求項２３に記載の溶着ロール。
ここで、Ｍｅはメチルを表わし、Ｐｈはフェニルを表わす。
【請求項３４】
剥離剤組成物が表面にコーティングされ、又は内部に含浸された吸収部材であって、前記組成物が、（Ｉ）式
【化１３】
2004515577.tif 000013
の繰返し単位を含むポリマーと、
ここで、Ｒは、Ｃ１〜Ｃ６のアルキル又はフェニル基から独立して選択され、
Ｒ１は、Ｃ２〜Ｃ１４のアルキル及び／又はＣ１５〜Ｃ６０のアルキルから独立して選択され、
Ｒ２は式−Ｒ３−Ｓｉ（Ｒ４）３の基であり、ここで、Ｒ３はＣ１〜Ｃ８のアルキルであり、Ｒ４はＣ１〜Ｃ６のアルキル又はフェニル基であり、
Ｒ５は式−Ｒ３−[Ｓｉ（Ｒ６）２Ｏ]ｎ−Ｓｉ（Ｒ）３の基であり、
Ｒ６はＣ１〜Ｃ６のアルキル、フェニル又は−ＯＳｉ（ＣＨ３）３であり、
ここで、ｎは０〜１０であり、
ｗは０〜５００であり、
ｘは０〜１００であり、
ｙは０〜１００であり、
ｚは０〜１００であり、
ｙ＋ｚ＝１〜１００であり、ｗ：（ｘ＋ｙ＋ｚ）の比は０：１〜１：０．０３であり、ここで、当該ポリマーの重量平均分子量は約５，０００〜２５０，０００である。
（ＩＩ）５０重量％までのシリコーンオイルと、
（ＩＩＩ）少なくとも１つの酸化防止剤と、を含む吸収部材。
【請求項３５】
ｘが０であり、かつ、ｙ及びｚが５〜５０の範囲にある、請求項３４に記載の吸収部材。
【請求項３６】
ｘが約１〜３０であり、かつ、ｙが１〜５０である、請求項３４に記載の吸収部材。
【請求項３７】
ｘが約２〜２０であり、かつ、ｚが約２〜３５である、請求項３４に記載の吸収部材。
【請求項３８】
Ｒ３がメチレン、エチレン、プロピレン又はブチレンであり、かつ、Ｒ４がメチルである、請求項３４に記載の吸収部材。
【請求項３９】
Ｒ３がメチレン又はエチレンであり、かつ、ｎが０〜５０である、請求項３４に記載の吸収部材。
【請求項４０】
前記重量平均分子量が約２０，０００〜２００，０００である、請求項３４に記載の吸収部材。
【請求項４１】
前記重量平均分子量が約２０，０００〜７０，０００である、請求項３４に記載の吸収部材。
【請求項４２】
ｗが３５〜６５であり、ｘが２〜４０であり、ｚが２〜２０であり、ｙが０である、請求項３４に記載の吸収部材。
【請求項４３】
Ｒがメチルであり、Ｒ３がエチレンであり、Ｒ６がメチルである、請求項４２に記載の吸収部材。
【請求項４４】
前記ポリマーが、
【化１４】
2004515577.tif 000014
【化１５】
2004515577.tif 000015
及び
【化１６】
2004515577.tif 000016
から成る群から選択される、請求項４２に記載の吸収部材。
ここで、Ｍｅはメチルを表わし、Ｐｈはフェニルを表わす。
【請求項４５】
前記部材がパッド、ウェブ、ワイパー、ロール及びブラシから成る群から選択される、請求項３４に記載の吸収部材。
【手続補正２】
【補正対象書類名】明細書
【補正対象項目名】００１８
【補正方法】変更
【補正の内容】
【００１８】
このように、本発明の第１の特徴において、剥離剤組成物において有効なポリマーが提供され、このポリマーは、式
【化１７】
2004515577.tif 000017
の繰返し単位を含み、
ここで、Ｒは、Ｃ１〜Ｃ６のアルキル又はフェニル基から独立して選択され、
Ｒ１は、Ｃ２〜Ｃ１４のアルキル及び／又はＣ１５〜Ｃ６０のアルキルから独立して選択され、
Ｒ２は式−Ｒ３−Ｓｉ（Ｒ４）３の基であり、ここで、Ｒ３はＣ１〜Ｃ８のアルキルであり、Ｒ４はＣ１〜Ｃ６のアルキル又はフェニル基であり、
Ｒ５は式−Ｒ３−[Ｓｉ（Ｒ６）２Ｏ]ｎ−Ｓｉ（Ｒ）３の基であり、
Ｒ６はＣ１〜Ｃ６のアルキル、フェニル又は−ＯＳｉ（ＣＨ３）３であり、
ここで、ｎは０〜１０であり、
ｗは０〜５００であり、
ｘは０〜１００であり、
ｙは０〜１００であり、
ｚは０〜１００であり、
ｙ＋ｚ＝１〜１００であり、ｗ：（ｘ＋ｙ＋ｚ）の比は０：１〜１：０．０３であり、ここで、当該ポリマーの重量平均分子量は約５，０００〜２５０，０００である。


【手続補正３】
【補正対象書類名】明細書
【補正対象項目名】００２５
【補正方法】変更
【補正の内容】
【００２５】
上述のことから分かるように、本発明のポリマーは剥離剤組成物において有効である。したがって、本発明の更なる特徴において剥離剤が提供され、該剥離剤は、（Ｉ）式
【化１８】
2004515577.tif 000018
の繰返し単位を含むポリマーと、
ここで、Ｒは、Ｃ１〜Ｃ６のアルキル又はフェニル基から独立して選択され、
Ｒ１は、Ｃ２〜Ｃ１４のアルキル及び／又はＣ１５〜Ｃ６０のアルキルから独立して選択され、
Ｒ２は式−Ｒ３−Ｓｉ（Ｒ４）３の基であり、ここで、Ｒ３はＣ１〜Ｃ８のアルキルであり、Ｒ４はＣ１〜Ｃ６のアルキル又はフェニル基であり、
Ｒ５は式−Ｒ３−[Ｓｉ（Ｒ６）２Ｏ]ｎ−Ｓｉ（Ｒ）３の基であり、
Ｒ６はＣ１〜Ｃ６のアルキル、フェニル又は−ＯＳｉ（ＣＨ３）３であり、
ここで、ｎは０〜１０であり、
ｗは０〜５００であり、
ｘは０〜１００であり、
ｙは０〜１００であり、
ｚは０〜１００であり、
ｙ＋ｚ＝１〜１００であり、ｗ：（ｘ＋ｙ＋ｚ）の比は０：１〜１：０．０３であり、ここで、当該ポリマーの重量平均分子量は約５，０００〜２５０，０００である。
（ＩＩ）５０重量％までのシリコーンオイルと、
（ＩＩＩ）少なくとも１つの酸化防止剤と、を含む。